(57)【要約】【課題】メインフレーム部分の剛性を高めた起倒式マスト構造物を提供する。【解決手段】回転構造部３は、ステージＳＴ上に間隔を開けて配置され且つステージＳＴに沿って延びる仮想中心線ＩＬを中心としてそれぞれ回転する回転部１１，１１から構成されている。マスト構造物５は、一端が回転部１１，１１に固定され他端が相互に連結されたメインフレーム１３，１３と、一端が回転部１１，１１に固定され他端がメインフレームに固定されたサブフレーム１５，１５と、補強フレーム１７とを備えた骨組構造からなる。さらに、起立した状態においてマスト構造体５を支持する支持構造物７を備えている。【選択図】  図１
2020121700.tif 000002
【特許請求の範囲】
【請求項１】
船舶に備えられた設置用構造物上に設けられたステージ上に直接または間接的に回転可能に固定された回転構造部を中心にして起倒可能に固定されたマスト構造体と、
前記マスト構造体を倒す際には前記マスト構造体を徐々に傾倒させる力を発生し、前記マスト構造体を起こす際には前記マスト構造体を徐々に起立させる力を発生する起倒力発生機構を備えた起倒式マスト構造物であって、
前記回転構造部は、前記ステージ上に間隔を開けて配置され且つ前記ステージに沿って延びる仮想中心線を中心としてそれぞれ回転する２つの回転部から構成されており、
前記マスト構造体は、
一端が前記２つの回転部にそれぞれ固定され他端が直接または間接的に相互に連結された２本のメインフレームと、
前記２本のメインフレームのそれぞれに対して前記マスト構造体が傾倒する方向とは逆の方向に位置して、一端が前記２つの回転部にそれぞれ固定され他端が直接または間接的に前記２本のメインフレームに固定され、前記一端と前記他端との間に前記逆の方向に向かって凸となる頂部を有する２本のサブフレームと、
前記２本のメインフレーム間、前記２本のサブフレーム間及び前記２本のメインフレームと前記２本のサブフレームとの間に配置された複数本の補強フレームを備えた骨組構造からなり、
前記ステージ上には、前記マスト構造体に対して前記逆の方向に位置して、起立した状態の前記マスト構造体の前記２本のサブフレームまたは前記補強フレームに当接する当接部を備えて前記マスト構造体を支持する支持構造物をさらに備えていることを特徴とする起倒式マスト構造物。
【請求項２】
船舶に備えられた設置用構造物上に設けられたステージ上に直接または間接的に回転可能に固定された回転構造部を中心にして起倒可能に固定されたマスト構造体と、
前記マスト構造体を倒す際には前記マスト構造体を徐々に傾倒させる力を発生し、前記マスト構造体を起こす際には前記マスト構造体を徐々に起立させる力を発生する起倒力発生機構を備えた起倒式マスト構造物であって、
前記回転構造部は、前記ステージ上に間隔を開けて配置され且つ前記ステージに沿って延びる仮想中心線を中心としてそれぞれ回転する２つの回転部から構成されており、
前記マスト構造物は、
一端が前記２つの回転部にそれぞれ固定され他端が直接または間接的に相互に連結された２本のメインフレームと、
前記２本のメインフレームの中央部よりも前記ステージ側に設けられて前記２本のメインフレームを連結する複数本の横フレームと、
前記２本のメインフレームのそれぞれに対して前記マスト構造体が傾倒する方向とは逆の方向に位置しており、前記複数本の横フレームのうち最も前記ステージに近い位置にある１本の前記横フレームに一端が固定され、他端が直接または間接的に前記２本のメインフレームに固定され、且つ、前記一端と前記他端との間に前記逆方向に向かって凸となる頂部を有する１本のサブフレームと、
前記２本のメインフレームと前記１本のサブフレームとの間に配置された複数本の補強フレームを備えた骨組構造からなり、
前記ステージ上には、前記マスト構造体に対して前記逆の方向に位置して、起立した状態の前記マスト構造体の前記１本のサブフレームに当接する当接部を備えて前記マスト構造体を支持する支持構造物をさらに備えていることを特徴とする起倒式マスト構造物。
【請求項３】
前記ステージ上面から上方向に計測した、傾倒した状態の前記マスト構造体の最大高さ寸法は、前記ステージ上面から上方向に計測した前記支持構造物の高さ寸法よりも低く、
前記支持構造物の前記当接部は、前記支持構造物の上端近傍に設けられている請求項１または２に記載の起倒式マスト構造物。
【請求項４】
前記支持構造物の前記当接部は、起立した状態における前記マスト構造体の重心よりも下側で且つ前記重心よりも前記逆の方向にある位置で前記サブフレームまたは前記補強フレームと当接する請求項１または２に記載の起倒式マスト構造物。
【請求項５】
前記マスト構造体の重心は、前記起倒力発生機構が前記力を発生していないときに、前記マスト構造体が自重で倒れる位置に存在する請求項１または２に記載の起倒式マスト構造物。
【請求項６】
前記起倒力発生機構は、
前記マスト構造体の前記サブフレームの前記頂部の下方にあって前記当接部が当接する部分より下の位置に設けられた定滑車と、
前記支持構造物よりも前記逆の方向に配置されたウィンチと、
前記支持構造物に設けられたガイドローラと、
前記支持構造物の前記ガイドローラより下の位置に設けられたガイド部と、
一端が前記ウィンチに巻回され、他端が前記ステージまたは前記支持構造物の前記ガイド部が設けられた位置よりも下の位置に固定され、前記ガイドローラと前記ガイド部と前記定滑車によりガイドされるように配置されたワイヤとから構成されている請求項１または２に記載の起倒式マスト構造物。
【請求項７】
前記サブフレームと前記支持構造物の間には、前記マスト構造体を傾倒させ、傾倒が完了すると張力を発生する連結体が備えられている請求項１または２に記載の起倒式マスト構造物。
【請求項８】
前記マスト構造体が前記支持構造物の前記当接部に当接した状態で前記マスト構造体を前記支持構造物に固定する固定具をさらに備えている請求項１または２に記載の起倒式マスト構造物。
【発明の詳細な説明】
【技術分野】
【０００１】
本発明は、船舶に備えられた設置用構造物上に設けられたステージ上に設置された起倒式マスト構造物に関するものである。
【背景技術】
【０００２】
船舶の甲板上には、レーダー等を設置するための設置用構造物が備えられている。設置用構造物上には、ステージが設けられており、ステージ上にレーダー等を直接設置するマストが設置されている。
【０００３】
橋の下等、高さ制限のある場所を船舶が航行する際に、一時的にマスト構造物の高さを低くして、その場所を通過することが行われている。例えば、実開平４−５８４９６号公報（特許文献１）の図１乃至図３には、従来の起倒式マスト構造物が開示されている。この起倒式マスト構造物は、固定マスト（７）に対して可動マスト（８）が軸（１０）を中心にするヒンジ（９）を介して支持されており、また可動マスト（８）は２本の支持脚（１４）によって補強された状態で支持されている。２本の支持脚（１４）は、固定マスト（７）の後方に位置する固定支持脚（１６）と継手フランジ（１７）を介して固定支持脚（１６）と連結される可動支持脚（１８）を有している。可動マスト（８）と可動支持脚（１８）を倒す際には、継手フランジ（１７）の図示しない取付ボルトを外し、ウインチ（２１）で巻いたワイヤロープを繰り出すことにより、固定マスト（７）から離すように、可動マスト（８）と可動支持脚（１８）をヒンジ（９）を中心にして回転する。可動マスト（８）を倒した状態で、ステージ上には、固定マスト（７）と固定支持脚（１６）が残る。
【先行技術文献】
【特許文献】
【０００４】
【特許文献１】実開平４−５８４９６号公報
【発明の概要】
【発明が解決しようとする課題】
【０００５】
従来の起倒式マスト構造物は、起倒作業中や、可動マスト（８）を倒した状態では、可動マスト（８）がヒンジ（９）を介して台（４）に固定された固定マスト（７）の基部に対して連結されているだけであり、固定マスト（７）及び固定支持脚（１７）は可動マスト（８）の強度維持には寄与していない。そのため可動マスト（８）を倒した状態では、可動マスト（８）の強度は低下する。また可動マスト（８）を倒す際には、継手フランジ（１７）の複数本のボルトを安全に取り外しが必要になり、また可動マストを起立させて固定するためには複数本のボルトをしっかりと締め付ける作業が必要になり、作業が非常に面倒であるという問題がある。
【０００６】
本発明の目的は、マスト構造体を倒す際及び起立させる際に面倒な作業が必要なく、しかも倒したマスト構造体の強度を低下させることがない起倒式マスト構造物を提供することである。
【０００７】
本発明の他の目的は、マストを起立した状態で、航行時に揺れの少ない起倒式マスト構造物を提供することである。
【課題を解決するための手段】
【０００８】
本発明は、船舶に備えられた設置用構造物上に設けられたステージ上に直接または間接的に回転可能に固定された回転構造部を中心にして起倒可能に固定されたマスト構造体と、マスト構造体を倒す際にはマスト構造体を徐々に傾倒させる力を発生し、マスト構造体を起こす際にはマスト構造体を徐々に起立させる力を発生する起倒力発生機構を備えた起倒式マスト構造物を改良の対象とする。
【０００９】
本発明では、回転構造部は、ステージ上に間隔を開けて配置され且つステージに沿って延びる仮想中心線を中心としてそれぞれ回転する２つの回転部から構成されている。そして、マスト構造体は、一端が２つの回転部にそれぞれ固定され他端が直接または間接的に相互に連結された２本のメインフレームと、２本のメインフレームのそれぞれに対してマスト構造体が傾倒する方向とは逆の方向に位置して、一端が２つの回転部にそれぞれ固定され他端が直接または間接的に２本のメインフレームに固定され、一端と他端との間に逆の方向に向かって凸となる頂部を有する２本のサブフレームと、２本のメインフレーム間、２本のサブフレーム間及び２本のメインフレームと２本のサブフレームとの間に配置された複数本の補強フレームを備えた骨組構造からなる。さらに、ステージ上には、マスト構造体に対して逆の方向に位置して、起立した状態のマスト構造体の２本のサブフレームまたは補強フレームに当接する当接部を備えてマスト構造体を支持する支持構造物を備えている。
【００１０】
上記のように回転構造部及びマスト構造体が構成されていると、マスト構造体を倒した状態でもサブフレームがメインフレームから構造上切り離されないので、倒した状態のマスト構造体の強度が低下することはない。さらに、マスト構造体を倒す際に、従来のようにボルトを取り外す作業が必要になることはなく、またマスト構造体を起立した状態にする際にも、ボルトを締め付ける作業が必要になることはない。また支持構造物が存在するため、マスト構造体が起立した状態では、２つの回転部からなる回転構造部と、上方に離れた位置に存在する当接部とでマスト構造体を支持することになる。これにより、航行時でも揺れの少ない起倒式マスト構造物を得ることができる。
【００１１】
本発明の起倒式マスト構造物は、サブフレームを１本とすることも可能である。この場合には、マスト構造物は、一端が２つの回転部にそれぞれ固定され他端が直接または間接的に相互に連結された２本のメインフレームと、２本のメインフレームの中央部よりもステージ側に設けられて２本のメインフレームを連結する複数本の横フレームと、２本のメインフレームのそれぞれに対してマスト構造体が傾倒する方向とは逆の方向に位置しており、複数本の横フレームのうち最もステージに近い位置にある１本の横フレームに一端が固定され、他端が直接または間接的に２本のメインフレームに固定され、且つ、一端と他端との間に逆方向に向かって凸となる頂部を有する１本のサブフレームと、２本のメインフレームと１本のサブフレームとの間に配置された複数本の補強フレームを備えた骨組構造からなる。そして、さらに、ステージ上には、マスト構造体に対して逆の方向に位置して、起立した状態のマスト構造体の１本のサブフレームに当接する当接部を備えてマスト構造体を支持する支持構造物を備えている。
【００１２】
このような構造にすれば、サブフレームを１本としながら、２本の場合と同様の効果を得ることが可能である。
【００１３】
ステージ上面から上方向に計測した、傾倒した状態のマスト構造体の最大高さ寸法は、ステージ上面から上方向に計測した支持構造物の高さ寸法よりも低いことが好ましい。そして、支持構造物の当接部は、支持構造物の上端近傍に設けるようにする。このようにすれば、支持構造物の高さ寸法を航行時の高さ制限より低くしておけば、航行に支障がなく、また、当接部を回転構造部から離すことが可能となる。
【００１４】
支持構造物の当接部は、起立した状態におけるマスト構造体の重心よりも下側で且つ重心よりも逆の方向にある位置でサブフレームまたは補強フレームと当接することが好ましい。このようにすれば、マスト構造体の重心位置と当接部の位置を近づけ、支持するための力を軽減することができる。
【００１５】
マスト構造体の重心は、起倒力発生機構が力を発生していないときに、マスト構造体が自重で倒れる位置に存在するのが好ましい。このようにすれば、マスト構造体を拘束する力を解除すればマスト構造体の自重で傾倒することになるため、傾倒作業がしやすい。
【００１６】
起倒力発生機構の構成は任意であるが、例えば、マスト構造体のサブフレームの頂部の下方にあって当接部が当接する部分より下の位置に設けられた定滑車と、支持構造物よりも逆の方向に配置されたウィンチと、支持構造物に設けられたガイドローラと、支持構造物のガイドローラより下の位置に設けられたガイド部と、一端がウィンチに巻回され、他端がステージまたは支持構造物のガイド部が設けられた位置よりも下の位置に固定され、ガイドローラとガイド部と定滑車によりガイドされるように配置されたワイヤとから構成されていてもよい。このように構成すれば、ウィンチで巻き上げる際に要する力を半減させることができるため、作業者の負担を軽減させることができる。
【００１７】
サブフレームと支持構造物の間には、マスト構造体を傾倒させ、傾倒が完了すると張力を発生する連結体が備えられているのが好ましい。このようにすれば、作業者が傾倒が完了したことを知ることができ、また、傾倒しすぎてしまうこともなくなる。
【００１８】
マスト構造体が支持構造物の当接部に当接した状態を維持するため、マスト構造体を支持構造物に固定する固定具を備えていてもよい。マスト構造体を傾倒させる際には、該固定具を解除して行う。
【図面の簡単な説明】
【００１９】
【図１】船舶の甲板上に備えられた設置用構造物と、その上に設置された起倒式マスト構造物の全体を示す左側面図である。
【図２】（Ａ）はマスト構造物の左側面図、（Ｂ）は正面図、（Ｃ）は背面図である。
【図３】（Ａ）は支持構造物の左側面図であり、（Ｂ）は背面図である。
【図４】マスト構造体５を起立した状態の起倒式マスト構造物１を示す図である。
【図５】マスト構造体５の傾倒を完了した状態を示す図である。
【図６】第２の実施の形態の起倒式マスト構造物のマスト構造体の正面図である。
【発明を実施するための形態】
【００２０】
以下、図面を参照して、本発明の起倒式マスト構造物の実施の形態を詳細に説明する。
【００２１】
＜第１の実施の形態＞
図１は、船舶の甲板上に備えられた設置用構造物と、その上に設置された起倒式マスト構造物の全体を示す左側面図であり、図２（Ａ）はマスト構造物の左側面図、（Ｂ）は正面図、（Ｃ）は背面図であり、図３（Ａ）は支持構造物の左側面図であり、（Ｂ）は背面図である。
【００２２】
図１に示すように、起倒式マスト構造物１は、船舶の甲板上に備えられた設置用構造物ＭＳ上に設置されている。設置用構造物ＭＳ上には、ステージＳＴが設けられており、ステージＳＴ上にレーダーＲＤと、起倒式マスト構造物１が設置されている。図１上における右方向が船舶の進行方向である。
【００２３】
起倒式マスト構造物１は、回転構造部３と、マスト構造体５と、支持構造物７と、起倒力発生機構９とから構成されている。マスト構造体５は、船舶の進行方向とは逆の方向に倒れるようになっている。
【００２４】
本実施の形態では、要求されているエアドラフト（Air Draught  水面から船体構造物最先端までの高さ）が図１に示した仮想線ＡＤであり、マスト構造体５が起立した状態では、マスト構造体５は仮想線ＡＤを越えているため、航行ができない。そこで、マスト構造体５を傾倒し、全ての構造物が仮想線ＡＤよりも下にくるようにすることで、要求されているエアドラフトを満たし、航行を行えるようにするものである。
【００２５】
図１及び図２（Ａ）〜（Ｃ）に示すように、回転構造部３は、ステージＳＴ上に固定されており、ステージＳＴ上に間隔を開けて配置された２つの回転部１１，１１から構成されている。回転部１１，１１は、ステージＳＴに沿って船舶の左右方向（図１に向かって奥方向）に延びる仮想中心線ＩＬを中心として回転軸がそれぞれ回転するようになっている。なお、図２（Ｂ）では、説明の便宜上、メインフレーム側の部材を、（Ｃ）では、サブフレーム側の部材を省略して図示してある。
【００２６】
マスト構造体５は、起倒式マスト構造物１のメイン部分であり、衛星通信用アンテナＳＡ１，ＳＡ２及び複数の航行用照明Ｌが設置されている。図２（Ａ）〜（Ｃ）に示すように、マスト構造体５は、２本のメインフレーム１３，１３と、２本のサブフレーム１５，１５と、複数本の補強フレーム１７を備えた骨組構造からなっている。
【００２７】
メインフレーム１３，１３は、一端１３Ａ，１３Ａが２つの回転部１１，１１にそれぞれ回転可能に支持され、他端１３Ｂ，１３Ｂが接続体１３Ｃを介して間接的に相互に連結されている。
【００２８】
サブフレーム１５，１５は、メインフレーム１３，１３のそれぞれに対してマスト構造体５が傾倒する方向とは逆の方向（船舶の進行方向）に位置して、一端１５Ａ，１５Ａが回転部１１，１１にそれぞれ回転可能に支持され、他端１５Ｂ，１５Ｂが接続体１５Ｄを介して間接的にメインフレーム１３，１３に固定されている。またサブフレーム１５，１５は、上下方向の中央部よりも下方の位置に、船舶の進行方向に向かって凸になる頂部１５Ｃ，１５Ｃを有する。
【００２９】
複数本の補強フレーム１７は、２本のメインフレーム１３，１３の間、２本のサブフレーム１５，１５の間、及び、メインフレーム１３，１３とサブフレーム１５，１５との間に配置されており、骨組構造の強度を高めている。本実施の形態では、頂部１５Ｃ、１５Ｃの近傍に２本のメインフレーム１３，１３と２本のサブフレーム１５，１５の間に位置する左右方向に延びる作業ステップ１８が固定されている。なお本実施の形態では、この作業ステップも補強フレーム１７の機能を果たしている。
【００３０】
支持構造物７は、図１に示すように、マスト構造体５に対して進行方向側に位置してステージＳＴ上に固定設置されている。支持構造物７は、図３（Ａ）（Ｂ）に示すように、２本の支柱１９，１９と、支柱１９，１９の連結部２１と、起立した状態のマスト構造体５の２本のサブフレーム１５，１５の頂部１５Ｃのすぐ下の部分または近傍部分に当接する当接部２３，２３を備えている。
【００３１】
起倒力発生機構９は、マスト構造体５を倒す際にはマスト構造体５を徐々に傾倒させる力を発生し、マスト構造体５を起こす際にはマスト構造体５を徐々に起立させる力を発生する機構である。本実施の形態では、具体的には、マスト構造体５のサブフレーム１５の頂部１５Ｃの下方にあって当接部２３が当接する部分より下の２つの補強フレーム１７の間に設けられた定滑車２５と、支持構造物７よりも進行方向側に配置されたウィンチ２７と、支持構造物７に設けられたガイドローラ２９と、ガイドローラ２９より下の位置に設けられたガイド部３１と、一端がウィンチ２７に巻回され、他端がステージＳＴ上の固定部２８に固定され、ガイドローラ２９と定滑車２５によりガイドされるように配置されたワイヤ３３とから起倒力発生機構９が構成されている。なお、図１や図３（Ａ）では、連結部２１、ガイドローラ２９及びガイド部３１が見えるように、支柱１９を透過して示してある。
【００３２】
さらに、起倒式マスト構造物１は、サポートワイヤ（連結体）３５と、リギングスクリュー（固定具）３７を備えている。サポートワイヤ３５は、一端がサブフレーム１５に設けられたアイプレート３６Ａに固定され、他端が支持構造物７の連結部２１に設けられたアイプレート３６Ｂに固定されており、マスト構造体５を傾倒させ、傾倒が完了すると張力を発生する連結体を構成するものである。リギングスクリュー３７は、マスト構造体５が支持構造物７の当接部２３に当接した状態でマスト構造体５を支持構造物７に固定する固定具を構成するものである。リギングスクリュー３７は、一端にフックが付き他端に雄ねじ部が付いた２つのねじ付きフック部材と、２つのねじ付きフック部材の雄ネジ部と螺合する２つの雌ねじ部を両端に備えた回動操作部材を備えた構造を有している。２つのネジ付きフック部材のフックを係止する被係止部２４Ａ及び２４Ｂが、サブフレーム１５，１５と支持構物７の支柱１９，１９の上に固定されている。
【００３３】
［起倒式マスト構造物の傾倒］
図４は、マスト構造体５を起立した状態の起倒式マスト構造物１を示す図である。この状態では、ウィンチ２７によってワイヤ３３が巻かれ、リギングスクリュー３７によってマスト構造体５が支持構造物７に対して固定されている。
【００３４】
マスト構造体５の重心位置は、図４に「Ｇ」で示した点である。図示したように、重心位置Ｇの水平位置は、回転部１１，１１の回転軸である仮想中心線ＩＬよりも水平位置がわずかに進行方向の逆側にあるため、リギングスクリュー３７の回転操作部材を回転させることにより、フック部材の解除を行った後、ウィンチ２７を巻き出すと、マスト構造体５の自重によって傾倒する。
【００３５】
図５は、マスト構造体５の傾倒を完了した状態を示す図である。この状態では、サポートワイヤ３５が張力を発生する状態になっており、これ以上は倒れない状態になっている。図示したように、ステージＳＴ上面から上方向に計測した、傾倒した状態のマスト構造体５の最大高さ寸法は、ステージＳＴ上面から上方向に計測した支持構造物７の高さ寸法よりも低くなっている。すなわち、マスト構造体５を傾倒した状態では、ステージＳＴ上で最も高い構造物は支持構造物７であり、傾倒した状態のマスト構造体５の最大高さ寸法が支持構造物７を下回るように設計してある。
【００３６】
エアドラフトの制限領域を航行し、マスト構造体５を起立させる際には、マスト構造体５が当接部２３に当接するまでウィンチ２７を巻き、この状態でリギングスクリュー３７で固定をする。
【００３７】
＜第２の実施の形態＞
図６は、第２の実施の形態の起倒式マスト構造物に関する図である。具体的には、図６は、マスト構造体の正面図である。メインフレームについては、参考として一点鎖線で示してある。第１の実施の形態と共通する部分については、図２（Ｂ）に付した符号に１００を加えた数の符号を付して、その説明を省略する。
【００３８】
本実施の形態では、サブフレーム１１５が１本である。サブフレーム１１５はステージＳＴに近い位置にある横フレーム１３９に一端１１５Ａが固定され、他端１１５Ｂがメインフレーム１１３，１１３に固定されている。また、支持構造物１０７の当接部１２３は、サブフレーム１１５に当接するようになっている。さらに、定滑車１２５は、頂部１１５Ｃの下方の位置でサブフレーム１１５に設けられている。
【００３９】
上記実施の形態は、一例として記載したものであり、その要旨を逸脱しない限り、本発明は本実施例に限定されるものではない。
【産業上の利用可能性】
【００４０】
本発明によれば、マスト構造体を倒す際及び起立させる際に面倒な作業が必要なく、しかも倒したマスト構造体の強度を低下させることがない起倒式マスト構造物を提供することができる。また、マストを起立した状態で、航行時に揺れの少ない起倒式マスト構造物を提供することができる。
【符号の説明】
【００４１】
１  起倒式マスト構造物
３  回転構造部
５  マスト構造体
７  支持構造物
９  起倒力発生機構
１１  回転部
１３，１３  メインフレーム
１５，１５  サブフレーム
１７  補強フレーム
１９，１９  支柱
２１  連結部
２３，２３  当接部
２５  定滑車
２７  ウィンチ
２８  固定部
２９  ガイドローラ
３１  ガイド部
３３  ワイヤ
３５  サポートワイヤ（連結体）
３６Ａ，３６Ｂ  アイプレート
３７  リギングスクリュー（固定具）
ＭＳ  設置用構造物
ＳＴ  ステージ
ＲＤ  レーダー
ＳＡ１，ＳＡ２  衛星通信用アンテナ
Ｌ  航行用照明
ＡＤ  エアドラフトの仮想線
ＩＬ  仮想中心線
Ｇ  重心位置
【図１】
2020121700.tif 000003
【図２】
2020121700.tif 000004
【図３】
2020121700.tif 000005
【図４】
2020121700.tif 000006
【図５】
2020121700.tif 000007
【図６】
2020121700.tif 000008